(57)【特許請求の範囲】
【請求項１】
ロードブレイクブッシングインサート用の絶縁キャップであって、
外面及び平滑ドームを有する内面を有する導電性ジャケット、外面から伸びる接地ワイヤ受入れ部材、および導電性ジャケット内に配置された絶縁部材を含み、絶縁部材は、ロードブレイクブッシングインサートに絶縁キャップを嵌め込み固定する寸法を有するロードブレイクブッシング受入れ空間を規定する内側表面とドーム状上側部分を伴った外側表面とを有し、ドーム状上側部分は平滑ドームと一致し且つ平滑ドームとドーム状上側部分とで形成されるドーム域に形成される電気的応力を制御して導電性ジャケットを常に接地電位に維持することを特徴とする絶縁キャップ。
【請求項２】
導電性ジャケットが導電性のゴム材料を含むことを特徴とする請求項１の絶縁キャップ。
【請求項３】
接地ワイヤ受入れ部材が、導電性ジャケットの一体化されたタブであり、接地ワイヤを接続するための穴を有することを特徴とする請求項１の絶縁キャップ。
【請求項４】
取外し工具を使用するための目穴機構が導電性ジャケットの上端部にさらに取り付けてあることを特徴とする請求項１の絶縁キャップ。
【請求項５】
絶縁部材がＥＰＤＭゴムからなることを特徴とする請求項１の絶縁キャップ。
【請求項６】
外面及び内面を有する導電性材料および内面に対して隣接して配置された絶縁部材からなり、絶縁部材の内側表面は、ロードブレイクブッシングインサートに絶縁キャップを嵌め込み固定する寸法を有するロードブレイクブッシングインサート受入れ空間を規定し、絶縁部材のドーム状上側部分に形成される電気的応力を制御して、導電性材料を常に接地電位に維持することを特徴とする、ロードブレイクブッシングインサート用の絶縁キャップ。
【請求項７】
内面の上側部分が平滑ドームを含み、平滑ドーム内に形成される電気的応力を制御するために、絶縁部材の外側表面が平滑ドームに一致することを特徴とする請求項６の絶縁キャップ。
【請求項８】
導電性材料が導電性ゴム材料を含むことを特徴とする請求項６の絶縁キャップ。
【請求項９】
外面が、導電性材料の一体化されたタブであり接地ワイヤを接続するための穴を有する接地ワイヤ受入れ部材を有することを特徴とする、請求項６の絶縁キャップ。
【請求項１０】
取外し工具を使用するための目穴機構が導電性材料の上端部にさらに取り付けてあることを特徴とする請求項６の絶縁キャップ。
【請求項１１】
絶縁部材がＥＰＤＭゴムからなることを特徴とする請求項６の絶縁キャップ。
【請求項１２】
導電性材料に電気的に接続された接地ワイヤ受入れ部材をさらに含むことを特徴とする請求項６の絶縁キャップ。
【請求項１３】
導電性材料が導電性塗料を含むことを特徴とする請求項６の絶縁キャップ。
【請求項１４】
導電性材料が導電性ゴムを含むことを特徴とする請求項６の絶縁キャップ。
【請求項１５】
高電圧ロードブレイクブッシングインサートと、
外側表面及び該ロードブレイクブッシングインサートに絶縁キャップを嵌め込み固定する寸法を有するロードブレイクブッシングインサート受入れ空間を規定する内側表面を有する絶縁部材と外側表面を取り囲む導電性材料とから成り導電性材料に形成された電気的応力を制御して導電性材料が常に接地電位に維持される絶縁キャップとからなる、組合わせ構造体。
【請求項１６】
導電性材料に電気的に接続された接地ワイヤ受入れ部材をさらに含むことを特徴とする請求項１５記載の組み合わせ構造体。
【請求項１７】
導電性材料が導電性塗料を含むことを特徴とする請求項１５記載の組み合わせ構造体。
【請求項１８】
導電性材料が導電性ゴムを含むことを特徴とする請求項１５記載の組み合わせ構造体。
【請求項１９】
内面の上側部分が平滑ドームを含み、平滑ドーム内に形成される電気的応力を制御するために、外側表面が平滑ドームに一致することを特徴とする請求項１５記載の組み合わせ構造体。
【請求項２０】
絶縁部材がＥＰＤＭゴムからなることを特徴とする請求項１５記載の組み合わせ構造体。
【発明の詳細な説明】
【０００１】
【産業上の利用分野】
本発明は、絶縁キャップに関し、より詳しくは高電圧ロードブレイクブッシングインサート用の絶縁キャップに関する。
【０００２】
【従来の技術】
高電圧（１５および２５KV）変圧器および開閉装置に使用する絶縁キャップは、電力業界では良く知られている。その様なキャップは、通電した時にロードブレイクブッシングインサートの作用領域(interface)を遮断(deadfront)するために使用する。代表的な先行技術の高電圧ブッシングインサート絶縁キャップを図１に示す。
【０００３】
先行技術のキャップは、目穴１２を有する上部を一般的に含む。目穴１２は、絶縁キャップをロードブレイクブッシングインサートから取り外し易くするための、「ホットスティック」の様な取外し工具を受入れるための寸法を有する。それによって、作業員は安全作業距離から絶縁キャップを取り外すことができる。
【０００４】
絶縁キャップ１０は、絶縁キャップを実質的に取り囲んでいる外側シールド１４をさらに含む。外側シールド１４は導電性ゴムの様な導電性材料から一般的に形成され、それによってキャップ用の導電性シールドを形成する。外側シールドは、接地ワイヤの一端を取り付けるための穴を有する一体化されたタブ１６も含み、接地ワイヤの他端は系のアースに接続されている。外側シールド１４の内側部分は、その上部に実質的に平滑な丸いドーム状の区域１９を有する。
【０００５】
絶縁部材１８は、高い絶縁値を有する高品質の絶縁材料から製造することができる。絶縁部材１８は、ロードブレイクブッシングインサート上に適合する寸法の、絶縁キャップ受入れ容器２０の一部を形成する。ブッシングインサート容器の残りの部分は導電性の挿入物２２により形成されている。
【０００６】
導電性挿入物２２は、一般的に絶縁部材のドーム状部分１９内に配置されている。導電性挿入物２２は、絶縁キャップ内の電気的応力を制御する様に設計された、対応する平滑なドーム状外側表面２３を有する。導電性挿入物の内側表面２４は、それと係合するブッシングインサート外部を受入れるための形状を有する。導電性挿入物２２は、ロードブレイクブッシングインサートのシールドハウジングまたは「缶」（図２）より下の地点に伸び、ブッシングインサート機構を遮蔽している。絶縁キャップの導電性挿入物２２もシールドハウジングも電流は通さず、電気的応力を緩和するだけである。
【０００７】
先行技術の絶縁キャップは、キャップの中央軸を通って伸びる高電位ロッドまたはプローブをさらに含む。プローブは、一端がキャップの基底部より僅かに下に伸び、反対側の末端が導電性挿入物の中に伸びている。プローブは、ロードブレイクブッシングインサート５０（図２）中の通電接触機構４８（図２）と係合する。したがって、この高電圧接続により、系の電圧が、プローブを通り、上記の様に電気的応力を制御するために平滑な形状を有する導電性挿入物にかかっている。
【０００８】
高電圧ロードブレイクブッシングインサート用に現在入手できる絶縁キャップの欠点は、絶縁キャップを取り外した時、系の電圧がブッシングインサート開口部の「外側」に現れ、系の電圧がプローブからアースにフラッシュオーバする可能性があることである。そのため、ロードブレイクブッシングインサートから取り外した時にフラッシュオーバの可能性が無い高電圧絶縁キャップを提供することが望まれている。
【０００９】
【発明が解決しようとする課題】
本発明の目的は、高電圧変圧器および開閉装置の上に装備されたロードブレイクブッシングインサートに使用する、エネルギーを印加した時にロードブレイクブッシングインサートを遮断する絶縁キャップを提供することである。
【００１０】
本発明の別の目的は、ロードブレイクブッシングインサート用の常に接地電位に維持される絶縁キャップを提供することである。
【００１１】
本発明のさらに別の目的は、プローブおよび導電性挿入物を含む一般的に使用されるキャップに関連する、プローブまたは導電性挿入物からアースへの系の電圧フラッシュオーバを阻止する、ロードブレイクブッシングインサート用の絶縁キャップを提供することである。
【００１２】
本発明のさらに別の目的は、簡単に製造でき、部品数が少なく、コスト的により有利な、ロードブレイクブッシングインサート用の絶縁キャップを提供することである。
【００１３】
本発明のさらに別の目的は、ロードブレイクブッシングインサート上に容易に整列する絶縁キャップを提供することである。
【００１４】
本発明のさらに別の目的は、先行技術の絶縁キャップの高電位プローブおよび導電性挿入物を必要としない、ロードブレイクブッシングインサート用の絶縁キャップを提供することである。
【００１５】
【課題を解決するための手段】
本発明のロードブレイクブッシングインサート用の絶縁キャップは、外側導電性ジャケットを含み、該ジャケットは、その外面（以下、単に「外面」と言う）から伸びる接地ワイヤを受入れ部材および外側導電性ジャケットの中で、ジャケットに隣接して配置された絶縁部材を有するのが好ましい。絶縁部材は、ロードブレイクブッシングインサートを受入れる空間（以下「ロードブレイクブッシングインサート受入れ空間」と言う）を限定し、ロードブレイクブッシングインサートの外側表面に実質的に対応する内側表面（以下、単に「内側表面」と言う）を有する。好ましい実施態様では、外側導電性ジャケットは、実質的に平滑でドーム形状の上側部分を有する内面（以下、単に「内面」と言う）も含み、絶縁部材の外側表面（以下、単に「外側表面」と言う）が導電性ジャケットのドーム形状の内側（以下、「平滑ドーム」と言う）と一致する。平滑ドームは、その中に生じることがある電気的な応力を制御するのに役立つ。その上、本発明により形成される適切に接地された絶縁キャップは、常に接地電位に維持される。さらに、通電しているロードブレイクブッシングインサートから絶縁キャップを取り外した時に、フラッシュオーバが阻止される。
【００１６】
本発明の絶縁キャップは、導電性ゴム材料から形成される外側の導電性ジャケットを含むことができる。同様に、絶縁部材もＥＰＤＭゴムから製造することができる。
【００１７】
「ホットスティック」の様な取り外し工具を使用できる様にするために、本発明の絶縁キャップは、その上端部区域の一部として目穴機構を含む。
【００１８】
本発明の絶縁キャップの好ましい形態、ならびに本発明の他の実施態様、目的、特徴および利点を、以下に添付の図面を参照しながら、実施例により詳細に説明する。
【００１９】
【実施例】
図２に関して、本発明の高電圧用の絶縁キャップ３０は、ロードブレイクブッシングインサート受入れ空間または容器３２を限定するハウジングを含む。ハウジングは、「ホットスティック」の様な取外し工具を受入れる寸法の目穴機構３４を有する上端部を含む。ハウジングは好ましくは、接地ワイヤの接続に使用する穴を有する一体化されたタブ３６の形態の、接地ワイヤ受入れ部材をさらに含むことができる。
【００２０】
ハウジングは、外側の導電性ジャケット３８および導電性ジャケットの中に位置する絶縁部材４０を含む。あるいは、絶縁部材４０が導電性塗料で被覆した外側表面を有し、外側の導電性ジャケットを無くすこともできる。絶縁部材４０は、ロードブレイクブッシングインサート５０の外側表面と係合する形状を有する絶縁キャップのブッシングインサート受入れ空間３２を限定する。
【００２１】
外側の導電性ジャケット３８は、好ましくは導電性のゴム材料から形成する。好ましい実施態様では、内面は、平滑ドームを有する上部区域４２を含む。導電性ジャケット３８は遮蔽部を与え、その遮蔽部は、適切に取り付けた、またはロードブレイクブッシングインサートの接地部分に適切に噛み合わせた接地ワイヤと関連して、絶縁キャップを遮断する、すなわち傷害の危険性なしに手で触れることができる。したがって、キャップの外側表面は接地電位に維持することができ、傷害の危険性が排除される。
【００２２】
絶縁部材４０は、導電性ジャケット３８の内面に隣接して配置される。したがって、絶縁部材４０は、内面に類似した、対応する平滑でドーム状を有する外側上部区域４３（以下、「ドーム状上側部分」という）を含むことができる。ドーム状上側部分は、電気的な応力が生じた場合に、その応力を制御するのに役立つ。絶縁部材４０は、高品質で高い絶縁値を有する適当な絶縁材料から製造することができる。好適な材料にはゴム、合成ゴム、プラスチック、等があり、ＥＰＤＭ（エチレン−プロピレン−ジエンモノマー）ゴムから製造するのが好ましい。
【００２３】
絶縁部材４０は、ロードブレイクブッシングインサート５０の外側表面と実質的に対応するブッシングインサート受入れ空間または容器３２をも限定する。特に、ブッシングインサート受入れ空間３２は、キャップの下端にある開口部、およびくびれ部分４４または放射状の溝部分につながる実質的に平滑な壁を含む。くびれ部分４４は、ロードブレイクブッシングインサートの軸方向で上端部にある対応するくびれ部分５２にきつくはまり込み、それによってキャップをブッシングインサートに固定する寸法を有する。くびれ部分の上には、逆カップ形状部分４６が配置され、ブッシングインサート受入れ空間を完成させている。
【００２４】
本発明の絶縁キャップは、先行技術の絶縁キャップにある金属製プローブ２６および導電性挿入物２２の両方を排除している。したがって、本発明は製造が容易であると共に、部品の数が少ないので製造コストが低い。さらに、本発明の絶縁キャップは、プローブのアライメント(alignment)が必要がないので、現場での設置が容易である。この絶縁キャップはロードブレイクブッシングインサートの上に容易に配置して組み立てることができる。
【００２５】
【発明の効果】
本発明の絶縁キャップは、ロードブレイクブッシングインサートの外側表面を遮断することにより、および取り外した時に生きたブッシングインサートを表に出すキャップを備えることにより、系の電圧がブッシングインサートの外に現れず、フラッシュオーバの可能性を実質的に排除しているので、先行技術の絶縁キャップよりも効果的に機能する。本発明の背景で説明した様に、先行技術の絶縁キャップは系の電圧をブッシングインサートの「外側」に現し、プローブまたは導電性挿入物からアースへの「コロナ」またはフラッシュオーバと呼ばれる電気的作用が起こることがある。本発明の絶縁キャップは、金属製のプローブおよび導電性挿入物を排除しているので、これらの部品からアースへのフラッシュオーバも排除されている。本発明の絶縁キャップはロードブレイクブッシングインサートのエネルギーがかかっている部分とは一切接触していない。
【００２６】
本発明の好ましい実施態様を示し、説明したが、当業者には、本発明の精神から離れることなく、修正を行なうことが可能である。
【図面の簡単な説明】
【図１】  先行技術のロードブレイクブッシングインサート用絶縁キャップの断面図である。
【図２】  本発明により形成された絶縁キャップおよび対応するロードブレイクブッシングインサートの断面図である。
【図１】
0004227207.tif 000002
【図２】
0004227207.tif 000003